(57)【特許請求の範囲】
【請求項１】
複数台の計量機を設けた給油エリアと、計量機から受けた給油データを管理するポスが設けられ、給油エリアの全てを監視できる位置に設けられた管理エリアとを有するセルフサービス用の給油所において、
前記給油エリアの各計量機毎に後述の監視装置に接続されるインターホン、監視装置から送られてくる映像を写し出すモニタ、及び案内要求信号を監視装置へ出力する案内スイッチを設けた案内装置を設け、
案内装置のインターホンへ接続されるインターホン、案内装置のモニタへ映像を出力するビデオカメラ、及び計量機から給油要求信号を受けて点滅する給油要求ランプ、計量機へ給油許可信号を出力する給油許可スイッチ、案内装置から案内要求信号を受けて点滅する案内要求ランプ、各インターホンとインターホン、及び各モニタとビデオカメラを接続する接続スイッチ、全てのインターホンとインターホン、及び全てのモニタとビデオカメラを接続する全接続スイッチ、各計量機の駆動を個別に停止する停止スイッチ、全ての計量機の駆動を停止する全停止スイッチが設けられている監視装置を設け、
ノズルスイッチからの給油要求信号で該当計量機の給油要求ランプが点滅し、当該計量機の給油許可スイッチを押すと当該計量機へ給油許可信号が出力され、
案内装置の案内スイッチを押すと、案内要求信号が監視装置へ伝わり、監視装置の該当計量機の案内要求ランプが点滅し、該当エリアの接続スイッチを押すと、監視装置と案内装置のインターホン、及びビデオカメラとモニタが接続されることを特徴とするセルフサービス用の給油所。
【発明の詳細な説明】
【０００１】
【発明の属する技術分野】
本発明は、顧客自身が車に給油をするセルフサービス用の給油所に関するものである。
【０００２】
【従来の技術】
人件費の削減を求めて、顧客自身が車に給油をするセルフサービス用の給油所が普及しつつある。この給油所は、作業員が給油をするフルサービス用の給油所を少し改装してセルフサービスとしているために、管理エリアから給油エリアの全体を監視することができず、給油に不馴れな顧客による給油の安全を確保することが難しい。そこで、給油エリアと管理エリアの両方にインターホン、及びビデオカメラとモニタを設けて、給油の安全を確保したセルフサービス用の給油所を本出願人は、特開平７ー１３２９９７号で提案している。
【０００３】
【発明が解決しようとする課題】
しかし全面的に改装し、管理エリアから給油エリアの全体を監視できるようにしたセルフサービス用の給油所では、無駄と思われる機器がある。
【０００４】
本発明の目的は前記従来例の不都合を解消し、無駄な機器を無くし、低廉に作れるセルフサービス用の給油所を提供することにある。
【０００５】
【課題を解決するための手段】
前記目的を達成するために本発明は、複数台の計量機を設けた給油エリアと、計量機から受けた給油データを管理するポスが設けられ、給油エリアの全てを監視できる位置に設けられた管理エリアとを有するセルフサービス用の給油所において、前記給油エリアの各計量機毎に後述の監視装置に接続されるインターホン、監視装置から送られてくる映像を写し出すモニタ、及び案内要求信号を監視装置へ出力する案内スイッチを設けた案内装置を設け、案内装置のインターホンへ接続されるインターホン、案内装置のモニタへ映像を出力するビデオカメラ、及び計量機から給油要求信号を受けて点滅する給油要求ランプ、計量機へ給油許可信号を出力する給油許可スイッチ、案内装置から案内要求信号を受けて点滅する案内要求ランプ、各インターホンとインターホン、及び各モニタとビデオカメラを接続する接続スイッチ、全てのインターホンとインターホン、及び全てのモニタとビデオカメラを接続する全接続スイッチ、各計量機の駆動を個別に停止する停止スイッチ、全ての計量機の駆動を停止する全停止スイッチが設けられている監視装置を設け、前記給油要求信号で該当計量機の給油要求ランプが点滅し、当該計量機の給油許可スイッチを押すと当該計量機へ給油許可信号が出力され、案内装置の案内スイッチを押すと、案内要求信号が監視装置へ伝わり、監視装置の該当計量機の案内要求ランプが点滅し、該当エリアの接続スイッチを押すと、監視装置と案内装置のインターホン、及びビデオカメラとモニタが接続されることを要旨とするものである。
【０００６】
【発明の実施の形態】
以下、本発明の実施の形態を説明する。図１に示すように、給油所１の給油エリア２には複数のアイランド３が形成され、各アイランド３には計量機４及び案内装置５が設けられている。そして、給油エリア２の全体を監視できる位置に管理エリア６が設けられ、管理エリア６にはポス７及び監視装置８が設けられている。
【０００７】
図２に示すように、給油エリア２に設けられている計量機４のハウジングには、複数の油種の給油系統が組み込まれている。各給油系統の給油ノズル９はノズル掛け１０に掛けられ、ノズル掛け１０には給油ノズル９の掛け外しを検知するノズルスイッチ１１が設けられている。そして計量機４は、給油ノズル９がノズル掛け１０から外されたことをノズルスイッチ１１が検知したときに給油要求信号を監視装置８へ出力し、監視装置８から給油許可信号を受けて給油可能状態となり、給油ノズル９がノズル掛け１０に掛けられたことをノズルスイッチ１１が検知したときに給油データをポス７へ出力する。
【０００８】
計量機４に隣接して設けられた案内装置５には、監視装置８に接続されるインターホン１２、監視装置８から送られてくる映像を写し出すモニタ１３、及び案内要求信号を監視装置８へ出力する案内スイッチ１４が設けられている。
【０００９】
管理エリア６に設けられているポス７は、計量機４から受けた給油データを管理し、給油伝票を発行する。そして、ポス７に隣接して設けられた監視装置８には、案内装置５のインターホン１２へ接続されるインターホン１５、案内装置５のモニタ１３へ映像を出力するビデオカメラ１６、及びキーボード１７が設けられている。このキーボード１７には、計量機４から給油要求信号を受けて点滅する給油要求ランプ１８、計量機４へ給油許可信号を出力する給油許可スイッチ１９、案内装置５から案内要求信号を受けて点滅する案内要求ランプ２０、各インターホン１２とインターホン１５、及び各モニタ１３とビデオカメラ１６を接続する接続スイッチ２１、全てのインターホン１２とインターホン１５、及び全てのモニタ１３とビデオカメラ１６を接続する全接続スイッチ２２、各計量機４の駆動を個別に停止する停止スイッチ２３、全ての計量機４の駆動を停止する全停止スイッチ２４が設けられている。
【００１０】
次に動作を説明する。給油にきた顧客は給油エリア２に設けられている計量機４の前に停車し、所望の油種の給油ノズル９をノズル掛け１０から外すと、ノズルスイッチ１１が閉じて給油要求信号が監視装置８へ出力され、該当計量機４の給油要求ランプ１８が点滅する。給油要求ランプ１８の点滅を見て、管理エリア６の給油所員は計量機４の給油の安全を確認し、給油許可スイッチ１９を押すと計量機４へ給油許可信号が出力される。給油許可信号を受けた計量機４は駆動されて給油可能状態となり、給油ノズル９の弁を開くと給油される。
【００１１】
給油が終わり、給油ノズル９をノズル掛け１０に掛けると、ノズルスイッチ１１が開いて給油データがポス７へ出力され、ポス７で給油データの管理がおこなわれ、給油伝票が発行される。そして顧客は管理エリア６へ行き、給油伝票に基づいて精算をする。
【００１２】
以上のようにして通常の給油がおこなわれるが、給油に不馴れな顧客の場合は、案内装置５の案内スイッチ１４を押すと、案内要求信号が監視装置８へ伝わり、監視装置８の該当計量機４の案内要求ランプ２０が点滅する。案内要求ランプ２０の点滅を見て、管理エリア６の給油所員が接続スイッチ２１を押すと、監視装置８と案内装置５のインターホン１５、１２、及びビデオカメラ１６とモニタ１３が接続される。そして、顧客は給油所員とインターホン１２、１５を介して会話ができ、顧客は給油所員から給油操作案内を受けることができる。また、ビデオカメラ１６でとらえられた給油所員がモニタ１３に映し出され、顧客は画像を通しても給油操作案内を受けることができる。そして、案内スイッチ１４又は接続スイッチ２１を再び押して給油操作案内を終わる。
【００１３】
管理エリア６で監視している給油所員が給油の安全に不安を感じた場合は、監視装置８の接続スイッチ２１を押すと、監視装置８のインターホン１５と該当案内装置５のインターホン１２、及び監視装置８のビデオカメラ１６と該当案内装置５のモニタ１３が接続され、顧客に給油操作案内をすることができる。また、給油エリア２の全ての顧客に対して案内をする場合は、監視装置８の全接続スイッチ２２を押すと、監視装置８のインターホン１５と全ての案内装置５のインターホン１２、及び監視装置８のビデオカメラ１６と全ての案内装置５のモニタ１３が接続され、全ての顧客に給油操作案内をすることができる。このようにして、管理エリア６の給油所員により、安全な給油操作の案内をすることができる。
【００１４】
そして、給油所員が給油の危険を感じた場合は、監視装置８の停止スイッチ２３を押すと、該当計量機４の駆動を停止することができる。また、全ての給油エリア２の危険を感じた場合は、監視装置８の全停止スイッチ２４を押すと、全ての計量機４の駆動を停止することができる。このようにして、管理エリア６の給油所員により、給油エリア２の全ての安全を確保することができる。
【００１５】
なお上述した実施の形態では、案内装置５を計量機４とは別体に設けたが、案内装置５を計量機４のハウジングに一体に組み込んでもよい。また、監視装置８をポス７とは別体に設けたが、監視装置８をポス７と一体に設けてもよい。
【００１６】
【発明の効果】
以上説明したように本発明は、複数台の計量機を設けた給油エリアと、計量機から受けた給油データを管理するポスが設けられ、給油エリアの全てを監視できる位置に設けられた管理エリアとを有するセルフサービス用の給油所において、前記給油エリアの各計量機毎にインターホン及びモニタを有する案内装置を設け、前記管理エリアにインターホン及びビデオカメラを有する監視装置を設け、案内装置のインターホン及びモニタと監視装置のインターホン及びビデオカメラとを接続する接続スイッチを監視装置に設けている。このように管理エリアから給油エリアの全てを監視できるので給油の安全は確保でき、インターホン及びビデオカメラの映像を映すモニタにより顧客への給油操作案内ができる。そして、給油エリアを写すビデオカメラ及びそのモニタは設けていないので、セルフサービス用の給油所を低廉に作ることができるようになる。
【図面の簡単な説明】
【図１】  本発明のセルフサービス用の給油所の平面図である。
【図２】  本発明のセルフサービス用の給油所の構成図である。
【符号の説明】
１  給油所
２  給油エリア
３  アイランド
４  計量機
５  案内装置
６  管理エリア
７  ポス
８  監視装置
９  給油ノズル
１０  ノズル掛け
１１  ノズルスイッチ
１２、１５  インターホン
１３  モニタ
１４  案内スイッチ
１６  ビデオカメラ
１７  キーボード
１８  給油要求ランプ
１９  給油許可スイッチ
２０  案内要求ランプ
２１  接続スイッチ
２２  全接続スイッチ
２３  停止スイッチ
２４  全停止スイッチ
【図１】
0003757651.tif 000002
【図２】
0003757651.tif 000003